(57)【要約】【目的】  加圧作用で支援して筆記可能とする筆記具を安価に提供可能とする。【構成】  先端にボールペンのチップと後方にインキ収容管を備えてなるボールペンリフィールと、そのボールペンリフィールを搭載して軸筒先方の先端口から筆記先端部を出没可能とする筆記具に於いて、ボールペンリフィールと伴に前後動する装着筒の内孔部軸心に前方に向かって心軸が設けられ、その心軸の前方外周にシール部が設けられて、装着筒にボールペンリフィールのインキ収容管が装着されるときに、心軸がインキ収容管の内孔に嵌入し、シール部がインキ収容管の内面に密接しながら摺動してインキとシール部との間の空間が圧縮されて、インキ後端が加圧された状態でボールペンリフィールが装着筒に固定されるように構成されてなる。【選択図】        図１
2006103125.tif 000002
【特許請求の範囲】
【請求項１】
先端にボールペンのチップと後方にインキ収容管を備えてなるボールペンリフィールと、そのボールペンリフィールを搭載して軸筒先方の先端口から筆記先端部を出没可能とする筆記具に於いて、
ボールペンリフィールと伴に前後動する装着筒の内孔部軸心に前方に向かって心軸が設けられ、その心軸の前方外周にシール部が設けられて、装着筒にボールペンリフィールのインキ収容管が装着されるときに、前記心軸がインキ収容管の内孔に嵌入し、前記シール部がインキ収容管の内面に密接しながら摺動してインキとシール部との間の空間が圧縮されて、インキ後端が加圧された状態でボールペンリフィールが装着筒に固定されるように構成されてなる筆記具。
【請求項２】
カム筒内にそのカム溝と迎合するカム部を有したノック棒と回転子が前後動自在に嵌挿され、前方から回転子の軸心に遊嵌する状態で後端部に通気孔が設けられた装着筒が装着されて、また、装着筒の心軸の前方外周にシールリングが設けられて装着筒にインキ収容管が装着され、装着筒と軸筒との間にリターンスプリングが敷設されると共に装着筒がリターンスプリングによって常時軸筒の後方に附勢されて、ノック棒をノックして回転子を前後退位置に係止して軸筒先方の先端口から筆記先端部が出没可能となる請求項１に記載の筆記具。
【発明の詳細な説明】
【技術分野】
【０００１】
本発明は、ボールペンリフィールを搭載して、ノックや回転操作等によって筆記先端部を軸先より突出可能とすると共に、ボールペンリフィールの装着時に加圧を付加することによってインキのチップ側への流動性が支援されるように構成された筆記具に関する。
【背景技術】
【０００２】
【特許文献１】特開平８−５２４０７
【特許文献２】特表平７−５０６８６２
【特許文献３】特開２００１−１５０８６５
【特許文献４】特開２００２−２４０４８６  （特許文献１）  従来、誤記等を修正するために白色顔料を用いた液体塗布具が知られている。また、白色顔料と溶剤が分離しやすい為にこの種の液体塗布具は可撓性のある容器にインキとボール等が封入されており、使用に際して振って攪拌する必要がある。また、インキを吐出する為に容器の側面を押圧して行うが、インキ残量が少なくなった時には容器の側壁を強く押してもインキが吐出されないという苛立たしさがある。  （特許文献２）  また、剪断減粘性を有するインキを使用して、攪拌しないですむものも知られているが、上向きで塗布したときにインキが逆流してインキ切れしやすい問題が存在する。  （特許文献３）  また、軸筒の後端にポンピング式の加圧機構部が設けられ、更にその前方で且つインキの後端に接触してインキの消耗と共に追随するよう配設されたフォロアの後端に位置して弁機構が配設され、加圧機構部の前進作動によって軸筒の後端孔に空気が押し込まれて、その際に所定圧で弁が開いてフォロアの後端が加圧されることによってインキのチップ側への流動性が支援されるように構成されたものが提案されている。しかしながら、このものは構造が複雑でややコスト高となる欠点がある。  （特許文献４）  本発明の引用例となるノック式筆記具である。  また、ノックや回転操作等によって筆記先端部を軸先より突出可能とする筆記具は多種しられている。また、ボールペンやシャープペンシル等の筆記体を搭載し、ノックや回転操作等によってそれぞれの筆記先端部を選択して軸先より突出可能とする複式筆記具が多種知られている。
【発明の開示】
【発明が解決しようとする課題】
【０００３】
本発明は、初期筆記でインキがとぎれやすいインキを使用したボールペン、インキに種々のフィラーが混入されたボールペン、紙面に筆記した筆跡が消しゴムでの擦過により容易に消去できるインキが充填されたボールペン、誤記等を白色のインキで隠蔽することで修正可能とするボールペンなど、ノックや回転操作等によって筆記先端部を軸先より突出可能とすると共に、加圧作用で支援して筆記可能とする筆記具を安価に提供可能とする。  また、通常知られる油性ボールペンであっても、筆記先端部を上向きにして筆記すると筆記不能となるだけでなくインキが逆流する問題がある。そのため、インキ後端部に加圧ガスを封入したガス加圧式のボールペンが知られるが、安価に提供しにくい問題がある。  本発明は、通常のボールペンにおいて、上向き筆記での問題を解消可能とする。
【課題を解決するための手段】
【０００４】
本発明は、上記課題を達成するために以下の構成を有する。
請求項１に記載の発明に係る筆記具は、先端にボールペンのチップと後方にインキ収容管を備えてなるボールペンリフィールと、そのボールペンリフィールを搭載して軸筒先方の先端口から筆記先端部を出没可能とする筆記具に於いて、ボールペンリフィールと伴に前後動する装着筒の内孔部軸心に前方に向かって心軸が設けられ、その心軸の前方外周にシール部が設けられて、装着筒にボールペンリフィールのインキ収容管が装着されるときに、前記心軸がインキ収容管の内孔に嵌入し、前記シール部がインキ収容管の内面に密接しながら摺動してインキとシール部との間の空間が圧縮されて、インキ後端が加圧された状態でボールペンリフィールが装着筒に固定されるように構成されてなる。
【０００５】
請求項２に記載の発明に係る筆記具は、請求項１に記載の筆記具に於いて、カム筒内にそのカム溝と迎合するカム部を有したノック棒と回転子が前後動自在に嵌挿され、前方から回転子の軸心に遊嵌する状態で後端部に通気孔が設けられた装着筒が装着されて、また、装着筒の心軸の前方外周にシールリングが設けられて装着筒にインキ収容管が装着され、装着筒と軸筒との間にリターンスプリングが敷設されると共に装着筒がリターンスプリングによって常時軸筒の後方に附勢されて、ノック棒をノックして回転子を前後退位置に係止して軸筒先方の先端口から筆記先端部が出没可能となる。
【発明の効果】
【０００６】
本発明は、初期筆記でインキがとぎれやすいインキを使用したボールペン、インキに種々のフィラーが混入されたボールペン、紙面に筆記した筆跡が消しゴムでの擦過により容易に消去できるインキが充填されたボールペン、誤記等を白色のインキで隠蔽することで修正可能とするボールペンなど、ノックや回転操作等によって筆記先端部を軸先より突出可能とすると共に、ボールペンリフィールを装着筒に装着する際の加圧作用で支援して筆記可能とする筆記具が安価に提供可能となる。
また、通常知られる油性ボールペンであっても、上向き筆記での筆記不能やインキの逆流による汚損などの問題が解消可能となる。
【発明を実施するための最良の形態】
【０００７】
図１乃至図１２は本発明の一実施例を示している。
先ず、本発明に使用されるボールペンリフィールは、初期筆記でインキがとぎれやすいインキを使用したボールペン、インキに種々のフィラーが混入されたボールペン、紙面に筆記した筆跡が消しゴムでの擦過により容易に消去できるインキが充填されたボールペン、誤記等を白色のインキで隠蔽することで修正可能とするボールペンなど、加圧作用で支援して筆記可能とするボールペンリフィールや、低粘度インキの水性、油性のボールペン、剪断減粘性を有したインキのボールペン、高粘度インキの油性ボールペンなど様々なボールペンが適用される。
【０００８】
またボールペンリフィールは、インキの仕様やインキ収容管の太さ等によってチップ先端部の耐乾燥性、インキの直流及び逆流防止の対策が重要となる。乾燥しやすいインキ、低粘度のインキは耐乾燥性やインキの直流を防止するために先端ボールをチップのボール抱持部の内縁に密接させる手段が必要であり、インキの後端にインキの乾燥防止や逆流防止のフォロアが必要となる。また、インキ収容部が太い場合には、チップの後端とインキ収容部との間にインキの逆流を防止する弁機構が必要となる。また、インキが逆流して、シール部にインキ等が付着するのを防止するために、逆流しやすいインキにはフォロアが設けられることが望ましい。
【０００９】
また、インキ収容管は、通常はほぼ透明なポリプロピレン等の合成樹脂からなるが、経時により加圧空気が外部に透過するためインキ収容管の内圧は次第に低下する。従って、インキ収容管を金属製とすれば良いが、コスト高となる点やインキが透視できない点などの欠点がある。（インキが透視できない点は、ボールペンチップと金属製インキ収容管の接続部に透明な樹脂製の継ぎ手を設けることにより解消はできる。）
また、経済性を考慮して、インキ収容管の素材としてガス低透過性の材料を用いることが望ましい。例えば、二層の押し出し成形等によりポリプロピレンからなる内層部と外層部にガス低透過性に優れたエチレン・ビニルアルコール共重合体等の皮膜を形成するなどにより、インキ収容管の内外に空気が透過するのを防止することができる。また、樹脂製のインキ収容管の周面に金属の被膜を形成することもインキ収容管の内外に空気が透過するのを防止することができる。
【００１０】
図１及び図２に示すように、軸筒１の後方にノック機構部が配設され、軸筒１の後端孔から突出するノックカバー８（ノック部）を前後動させることによってボールペンリフィール１１の筆記先端部が軸筒１先方に着脱自在に止着された口先部２の先端口から出没可能となされている。
【００１１】
図３は軸筒１の半断面図を示している。図に示すように、軸筒１は後半の筒部に対し略前半の筒部（先方軸部１ａ）がやや細径に形成され、先方軸部１ａの略前端の外周に周状の突部１ｅと、先方軸部１ａの後端に段部１ｆが形成されている。また軸筒１後端外周部の一側にクリップを固着する為の取付け台１ｃが形成され、その軸線上の前方に窓部１ｂが穿設されて、軸筒の後端から窓部１ｂのやや前方に至る長さで孔部１ｈが設けられ、また窓部１ｂの軸線上で孔部１ｈの内壁に溝１ｇが形成されている。またその孔部１ｈの前端にリブ１ｄによって段部１ｉが形成されると共に、軸筒１の前端までやや小径となした孔部が貫通して設けられている。またその孔部には、偏肉を生じないように成形上の理由をかねて所要箇所にリブが設けられている。
【００１２】
また図４に示すように、カム筒５は筒体でその外周部には軸筒１に固定するための突起５ａが形成され、その突起５ａの軸線上にリブ５ｄが形成されている。また筒体内孔の後方で、内壁にリブとカム溝５ｂが放射状に交互に形成されたカム部が設けられている。
またカム溝５ｂは、径方向に深いカム溝と浅いカム溝が交互に形成され、リブの先端と浅いカム溝の先端に向けて傾斜面が形成されている。（この構造はよく知られたものであり、詳細な説明は省略する。）また上記突起５ａが位置する面に対して９０度回転した両側の面にカム筒５の前端から適宜長さのスリット５ｃが後方に向かって形成されている。  なお、上記スリット５ｃは軸筒１の窓部１ｂに弾性変形によって容易に係合させるために設けられたものであって必ずしも必要としない。
【００１３】
また図５はノック棒６を示している。ノック棒６の前方部外周の所要箇所には前記カム筒５のカム溝５ｂに嵌挿するリブ６ａｂが形成され、先端には回転子７の山形状のカム部７ａと迎合するカム部６ａａが形成されている。
なお、実施例に於いてはカム部６ａａとリブ６ａｂが分けて形成されているが、無論一体カム部として形成することもできる。
【００１４】
また図６は回転子７を示している。回転子７の中央部外周の所要箇所には前記カム筒５のカム溝５ｂの割付位置に対応するリブ状でその先端に傾斜状の突部を有したカム部７ａと、その間に山形状のカム部が円周状に形成されている。
このカム部７ａと山形状のカム部も、上記ノック部棒の一体のカム部と対応させて一体のカム部として形成することもできる。
以上、図４，図５，図６で示されるノック機構部のカム部構造はよく知られたものであり、詳細な説明は省略する。またノック機構部の形態は多様であり、それぞれよく知られたものである。
【００１５】
また図８は装着筒１２を示している。装着筒１２は、略中央に形成された鍔部１２ａの後方に軸部１２ｂが延設され、鍔部１２ａの前方に軸部１２ｃが延設されている。また軸部１２ｃの前端から軸部１２ｂの後端部１２ｅまで孔部が設けられている。また軸部１２ｂの内孔部軸心には、後端部１２ｅから前方に向かって一体に心軸１３が設けられ、その心軸１３の前方外周に溝部１３ａが形成されると共に、その溝部１３ａにゴム等の弾性体や軟質樹脂等のシールリング１４が取付けられて、装着筒１２にボールペンリフィール１１のインキ収容管１１ｂが装着されるときに、前記心軸１３がインキ収容管１１ｂの内孔に嵌入し、前記シールリング１４がインキ収容管１１ｂの内面に密接しながら摺動してインキ１１ｃとシールリング１４との間の空間が圧縮されて、インキ後端が加圧された状態でボールペンリフィールが装着筒１２に固定される。また、後端部１２ｅの所要箇所に通気孔１２ｆが設けられている。（実施形態に於いては、インキの後端に設けられたフォロア１１ｄとシールリング１４との間の空間が圧縮される。）
また、ボールペンリフィール１１が装着筒１２に装着された状態で固定されるように、装着筒の軸部１２の内面にボールペンリフィール１１の外周に係合してボールペンリフィールを着脱、且つ固定状態に保持するように突条などで形成される係合部が必要により設けられている。
また、心軸１３は、装着筒１２と別体となして、圧着等の手段で一体とすることができる。また、シールリング１４は、心軸１３の外周に一体に形成することも可能である。
また、上述した回転子７は、装着筒１２の略中央に形成された鍔部１２ａの後端に前端を当接させた状態で、装着筒の軸部１２ｂ外周に回転自在に嵌挿（遊嵌）される。
【００１６】
また、カム筒５内にそのカム溝５ｂと迎合するカム部を有したノック棒６と装着筒１２に取りつけられた回転子７が軸推移自在に嵌挿される。
以上により、装着筒の鍔部１２ａの前端と軸筒１の段部１ｉとの間にリターンスプリング１０が敷設されると共に、軸筒１の溝１ｇにカム筒５のリブ５ｄを嵌挿させた状態で軸筒の後端からカム筒５が挿入されて、軸筒に穿設された窓部１ｂにカム筒に設けられた突起５ａが相互間の弾性変形を利用して係合され、リターンスプリング１０によって回転子７が常時軸筒１の後方に附勢される。
【００１７】
またノック棒６の後端にノック部となるノックカバー８が止着され、取付け台１ｃにクリップ４が固着される。
また軸筒１の前端からボールペンリフィール１１が装着筒１２に挿入され、シールリング１４がインキ収容管１１ｂの内面に密接しながら摺動して、インキ１１ｃとシールリング１４との間の空間が圧縮され、インキ後端が加圧された状態でボールペンリフィールが装着筒１２に固定される。
【００１８】
また図２に示すように、軸筒１の先方軸部１ａの外周部に不透明または略不透明な天然ゴム、合成ゴム、その他弾性樹脂などで成形されたグリップ３が装着される。図１０に示すように、グリップ３は略前端の内孔部に段部３ａが形成されており、先方軸部１ａに装着された後、先方軸部１ａの略前端の外周に周状に設けられた突部１ｅの後面に上記段部３ａが当接することで、軸筒１に対しグリップ３が抜け止めされる。また、先方軸部１ａの最前端部外周部には螺子部等が形成されており、そこに口先部２が螺着される。
【００１９】
（作用）
上記の実施例に基き作用を以下に説明する。まず、装着筒１２にボールペンリフィール１１のインキ収容管１１ｂが装着されるときに、前記心軸１３がインキ収容管１１ｂの内孔に嵌入し、シールリング１４がインキ収容管１１ｂの内面に密接しながら摺動してインキ１１ｃとシールリング１４との間の空間が圧縮され、インキ後端が加圧された状態でボールペンリフィールが装着筒１２に固定される。また、ノック部であるノックカバー８の後端をノックしてノック棒６を前進させると回転子７が回転して前進位置に位置決めされ、ボールペンリフィール１１のチップ１１ａが口先部２の先端口２ａから突出して筆記状態となる。
加圧により、落下衝撃やインキの流動性の悪さ等に起因して先端ボールの周面からインキが離れてしまい連続的なインキの流出がとぎれるのを防止する作用ととぎれた時に回復する作用となる。また、通常知られる油性ボールペンが、上向き筆記で筆記不能となったり、インキの逆流により汚損されたりする問題が解消可能となる。
また、経時によりインキ収容管から加圧空気が外部に透過したり、シール部から空気がリークするためインキ収容管の内圧は次第に低下する。しばらく、使用しなかった場合には、一度装着筒からボールペンリフィールを外し、再度装着すれば加圧状態が復活する。
【図面の簡単な説明】
【００２０】
【図１】実施形態である筆記具の後半部を示す半断面図で、ノックしてボールペンリフィールを前進させた状態を示している。
【図２】実施形態である筆記具の前半部を示す半断面図で、筆記先端部を軸筒の先端口から突出させた状態を示している。
【図３】軸筒の半断面図である。
【図４】カム筒の半断面図である。
【図５】ノック棒の半断面図である。
【図６】回転子の半断面図である。
【図７】ノックカバーの半断面図である。
【図８】装着筒の半断面図である。
【図９】リターンスプリングを示す図である。
【図１０】グリップの半断面図である。
【図１１】口先部の半断面図である。
【図１２】要部を断面したボールペンリフィールの正面図である。
【符号の説明】
【００２１】
１        軸筒
１ａ      先方軸部
１ｂ      窓部
１ｃ      取付け台
１ｄ      リブ
１ｅ      突部
１ｆ      段部
１ｇ      溝
１ｈ      孔部
１ｉ      段部
２        口先部
２ａ      先端口
３        グリップ
３ａ      段部
４        クリップ
５        カム筒
５ａ      突起
５ｂ      カム溝
５ｃ      スリット
５ｄ      リブ
６        ノック棒
６ａａ    カム部
６ａｂ    リブ
７        回転子
８        ノックカバー
１０      リターンスプリング
１１      ボールペンリフィール
１１ａ    チップ
１１ｂ    インキ収容管
１１ｃ    インキ
１１ｄ    フォロア
１２      装着筒
１２ａ    鍔部
１２ｂ    軸部
１２ｃ    軸部
１２ｄ    孔部
１２ｅ    後端部
１２ｆ    通気孔
１３      心軸
１３ａ    溝部
１４      シールリング
【図１】
2006103125.tif 000003
【図２】
2006103125.tif 000004
【図３】
2006103125.tif 000005
【図４】
2006103125.tif 000006
【図５】
2006103125.tif 000007
【図６】
2006103125.tif 000008
【図７】
2006103125.tif 000009
【図８】
2006103125.tif 000010
【図９】
2006103125.tif 000011
【図１０】
2006103125.tif 000012
【図１１】
2006103125.tif 000013
【図１２】
2006103125.tif 000014